(57)【特許請求の範囲】
【請求項１】
温度、湿度、圧力、気体、液体などに関連する環境試験を行う環境試験装置において、
物品出入口を有する装置ハウジングと、
該装置ハウジングの物品出入口を開閉可能に閉塞する物品出入用扉と、
該装置ハウジングの内部に設けられ前記物品出入口に対応する縦壁に開口部が形成されている水密タンクと、
該水密タンクの上方に配設され前記水密タンク内に注水可能である注水手段と、
前記水密タンクの開口部を閉塞する水密板を有し、該水密板を、前記物品出入用扉に支持される第１の状態と、前記水密タンクの開口部を水密的に閉塞する第２の状態とを択一的にとらせる水密操作手段とを備えることを特徴とする環境試験装置。
【請求項２】
前記水密タンクが、前記装置ハウジングの内側に二重壁を構成するように縦壁と底壁とを有し、該底壁の下面に、前記水密タンクを移動可能とする移動手段が設けられ、前記装置ハウジングの物品出入口を通じて出し入れ可能である請求項１記載の環境試験装置。
【請求項３】
前記水密操作手段は、前記物品出入用扉に設けられ前記水密板の左右側縁部又は下縁部の適当箇所を支持可能である複数の支持部材と、
前記水密タンク側に設けられ、前記支持部材による水密板の支持を解除させ、水密タンク側に引き付けることで前記開口部を閉塞させ、その状態を保持可能である水密保持部材とを有する請求項１又は２記載の環境試験装置。
【請求項４】
前記水密保持部材は、前記水密板の左右側縁部又は下縁部に接触し、前記水密板を水密タンク側に向かって斜め上方に移動させる傾斜面を有し、
前記水密タンクには、前記開口部の両側付近の上方に、前記水密板の上方への移動を規制するストッパが設けられている請求項３記載の環境試験装置。
【請求項５】
前記注水手段は、前記装置ハウジングの上側に設けられた貯水タンクを備える請求項１〜４のいずれかに記載の環境試験装置。
【発明の詳細な説明】
【０００１】
【発明の属する技術分野】
この発明は、浸漬機能を有する環境試験装置に関するものである。
【０００２】
【従来の技術】
従来、金属、塗料などの屋外で用いられる各種材料は、光、雨、結露、温度、湿度などの各種の環境要因によって劣化される。この劣化を正確に再現するには、各種材料が使用される地域で使用年限だけ屋外に曝しておく屋外暴露試験が必要である。しかしながら、各種材料の使用地域は多岐にわたり、また、各地域の環境因子は異なることが多い。そこで、各種環境因子に応じて試験を、各環境因子に応じた試験装置で順番に行う試験方法、すなわち、光照射試験、塩水噴霧試験、浸漬試験、乾燥試験などを単独かつ順番に行う試験方法が採用されていた。
【０００３】
しかしながら、このような単独の試験装置を組み合わせて行う試験方法では、試験に手間がかかると共に、装置間における供試品の移動を常に同一条件下で行うことが困難であるため、供試品の劣化（腐食）をうまく再現できるものではなかった。
【０００４】
そこで、１つの装置ハウジング内で各種の環境因子を付加しながら試験する、いわゆる複合サイクル試験装置が開発され、使用されるようになりつつある（例えば特開平７−２００３５号公報参照）。
【０００５】
他方、環境因子に応じた試験中の供試品が異常高温などにより爆発の危険性が生じたときの対策が求められるようになってきた。
【０００６】
その対策として、水を用い、供試品が発熱、発火、発煙したときに、前記装置ハウジング内に水を導入して、供試品を浸漬することが考えられる。そして、そのように、供試品が発熱、発火、発煙したときに、供試品を完全に浸漬して急冷するためには、大量の水を用いなければならず、そのため、その大量の水を収容できるように、浸漬バットの深さを深くすることが考えられる。
【０００７】
【発明が解決しようとする課題】
しかしながら、前述したような装置では、供試品を、浸漬バット内に載置して一連の試験を行う構造であるため、前述したように浸漬バットの深さを深くすると、浸漬バット内への供試品の出し入れが困難になる。
【０００８】
本発明はかかる点に鑑みてなされたもので、供試品の出し入れを困難にすることなく、緊急時において急冷操作が可能である環境試験装置を提供することを目的とする。
【０００９】
【課題を解決するための手段】
本発明に係る環境試験装置は、温度、湿度、圧力、気体、液体などに関連する環境試験を行う環境試験装置において、物品出入口を有する装置ハウジングと、該装置ハウジングの物品出入口を開閉可能に閉塞する物品出入用扉と、該装置ハウジングの内部に前記物品出入口を通じて出し入れ可能に設けられ前記物品出入口に対応する縦壁に開口部が形成されている水密タンクと、前記装置ハウジング内において前記水密タンクの上方に配設され前記水密タンク内に注水可能である注水手段と、前記水密タンクの開口部を閉塞する水密板を有し、該水密板を、前記物品出入用扉に支持される第１の状態と、前記水密タンクの開口部を水密的に閉塞する第２の状態とを択一的にとらせる水密操作手段とを備えるものである。ここで、水密タンクは、装置ハウジングと一体構造であってもよいし、装置ハウジングの外部に搬出可能なるように別体構造であってもよい。開口部は、いわゆる大きな穴であってもよいのはもちろん、一部が開放されている切り欠き部のようなものであってもよく、供試品の出し入れが可能な大きさがあれば形状は特に問わない。さらに、水密操作手段による第１の状態と第２の状態との切り替えは、作業者のマニュアル操作によってもよいし、何んらかの信号（例えば浸漬信号、急冷信号や緊急信号）が入力されたときに自動的に行われるようにしてもよい。
【００１０】
よって、通常時は、水密操作手段によって水密板は、物品出入用扉に支持される第１の状態とされているので、物品出入口を開放するために、物品出入用扉を開けば、水密板も一緒に開放状態にすることができる。このとき、水密タンクの開口部は、水密板にて閉塞されておらず、開放された状態となっている。そのため、前記開口部を通じての水密タンク内への供試品の出し入れが自由にできるようになり、水密タンクの深さにかかわらず、供試品の出し入れは簡単である。
【００１１】
一方、浸漬時や急冷時には、水密操作手段によって水密板は、水密タンクの開口部を水密的に閉塞する第２の状態とされる。その状態で、注水手段によりの注水にて、水密タンク内に水を満たすことで、供試品の完全な浸漬あるいは急冷が可能となる。
【００１２】
また、前記水密タンクを、装置ハウジングの内側に二重壁を構成するように側壁と底壁を有するようにして、該底壁の下面に、前記水密タンクを移動可能とする移動手段を設ければ、前記水密タンクが装置ハウジング内から搬出可能となって便利である。
【００１３】
供試品が発熱、発火、発煙したときに浸漬する場合には、完全に冷却して、再び異常が起こらないことが確認できるまで水を抜くことができず、装置全体が使用できないが、前述したように移動手段を設けていると、別に予備の水密タンクを用意してさえおけば、浸漬状態にある異常品（供試品）を収納する水密タンクを装置ハウジングの外部に搬出し、それの代わりに前記予備の水密タンクを搬入することで、試験装置としては、別の供試品について同様な試験を行うことが可能となる。なお、この場合も、予備の水密タンクに対する水密板を物品出入用扉に支持させておく必要がある。また、特に、水密板を透明材料で形成しておけば、装置外に搬出したときに内部の状態を見ることができて便利である。
【００１４】
前記水密操作手段は、前記物品出入用扉に設けられ前記水密板の左右側縁部又は下縁部の適当箇所を支持可能である複数の支持部材と、前記水密タンク側に設けられ、前記支持部材による水密板の支持を解除させ、水密タンク側に引き付けることで前記開口部を閉塞させ、その状態を保持可能である水密保持部材とを有するものとすることができる。
【００１５】
このようにすれば、通常時には、複数の支持部材によって、水密板の左右側縁部又は下縁部の適当箇所を支持することで、水密板は、安定して物品出入用扉に支持される（第１の状態）。一方、浸漬時や急冷時（緊急時）には、水密保持部材によって、水密板の支持が解除され、それから、支持を解除された水密板が水密タンク側に引き付けられ、その水密板によって前記開口部が水密的に閉塞される（第２の状態）。この水密板によって水密タンクの開口部が水密的に閉塞された状態で、水密タンク内に注水することで、供試品を完全に浸漬し、あるいは大量の水で急冷することが可能となる。
【００１６】
前記水密保持部材は、前記水密板の左右側縁部又は下縁部に接触し、前記水密板を水密タンク側に向かって斜め上方に移動させる傾斜面を有し、前記水密タンクは、前記開口部の両側付近の上方に、前記水密板の上方への移動を規制するストッパを有するものとすることができる。
【００１７】
このようにすれば、傾斜面を利用することで、水密板を水密タンク側に向かって斜め上方に簡単に移動させることが可能とされ、ストッパにて、水密板の上方への移動が規制されるようにすることで、水密板がストッパとの関係で所定の位置に停止せしめられ、水密板が水密タンクの開口部周縁に水密的に圧着された状態とされる。
【００１８】
さらに、前記注水手段は、前記装置ハウジングの上側に設けられた貯水タンクを備えるようにすることができる。
【００１９】
貯水タンクがないと、水道水か別のタンクよりポンプで供給して、注水する必要があり、浸漬するのに時間がかかるが、装置ハウジングの上側に貯水タンクを設けておくことで、貯水タンク内の水を、ポンプを用いることなく、水密タンク内に一気に落下させて、注水することが可能となり、急冷操作としてはきわめて有効である。
【００２０】
【発明の実施の形態】
以下、本発明の実施の形態を図面に基づいて説明する。
【００２１】
図１は浸漬機能を有する環境試験装置であって搬出可能な水密タンクを内蔵する実施例の概略構成を示す図である。
【００２２】
図１において、１は環境試験装置で、温度、湿度、圧力、気体、液体などに関連する環境試験を行うものである。前記環境試験装置１の装置ハウジング２の内部には、上面が開放され深さが深い箱型形状の水密タンク３が取り出し可能に配設されている。
【００２３】
前記装置ハウジング２の前壁には、前記水密タンク３を出し入れ可能な大きさを有する物品出入口４が形成され、該物品出入口４が、物品出入用扉５にて開閉可能に閉じられるようになっている。前記物品出入口４は、水密タンク３内への供試品の出し入れを行うための開口部としても機能する。
【００２４】
また、装置ハウジング２の内部は、空気吹出口６及び空気取入口７を有する天井板８にて上下に区画されており、天井板８の上側が、装置ハウジング２内の温度、湿度及び供試品面温度を調節するための調温調湿室９とされ、天井板８の下側が環境試験が行われる試験室１０とされている。なお、空気吹出口６には、フィルタ６１が設けられている。
【００２５】
調温調湿室９には、空気取入口７側から空気吹出口６側に向かって、冷却器１１、ヒーターユニット１２及び、室外のモータ１３にて回転駆動されるファン１４が順に設けられている。そして、試験室１０内の空気をファン１４によって吸引して、調温調湿室９において所定の温度及び湿度に調節して、所定の風速で試験室１０内に吹き込み、試験室１０内を所定の温度に保つと共に、水密タンク３内の供試品の表面を所定の温度に保持するように構成されている。
【００２６】
前記天井板８の空気吹出口６の下側には、調温調湿室９で調温調湿された空気を、水密タンク３内の各供試品に対しできるだけ均一に吹き付けることができるように、風向きを調整するルーバー１５が取り付けられている。
【００２７】
また、前記天井板８の下方であって、ルーバー１５よりも下側位置に、浸漬操作あるいは急冷操作のために複数個の注水ノズル１６が設けられている。注水ノズル１６は、水密タンク３の上方に位置しており、水密タンク３へ注水可能なるように配設されている。
【００２８】
一方、水密タンク３は、矩形状の底壁２１と、該底壁２１の周縁に連設されほぼ鉛直上方に延びる４つの縦壁２２，２３，２４，２５とを有する。前記４つの縦壁２２〜２５のうち、前記装置ハウジング２の物品出入口４に対応する位置の縦壁２２には、上方に開放された矩形状の切り欠き部２６（開口部）が形成されている。また、前記縦壁２２と対向する反対側の縦壁２４側の内部には、排気隔壁２７が設けられ、下側から上側に空気が流れる排気通路２８を構成するようになっている。前記排気隔壁２７の下端に対向する、底壁２１の部分には、加湿皿として機能する凹部２９が形成されている。
【００２９】
前記物品出入用扉５と水密タンク３との間には、前記水密タンク３における縦壁２２の切り欠き部２６を閉塞する水密板３１を有する水密操作手段３２が配設されている。この水密操作手段３２は、具体的には図４及び図５に示すように構成され、水密板３１を、前記物品出入用扉５に支持させる第１の状態（図４参照）と、前記水密タンク３の切り欠き部２６を水密的に閉塞する第２の状態（図５参照）とを択一的にとらせるように構成されている。
【００３０】
前記切り欠き部２６の外側周縁には、図２に示すように、パッキン３３が設けられ、水密板３１にて切り欠き部２６を閉塞したときに、水密板３１が水密タンク３に対し水密的に圧着されるように構成されている。また、前記切り欠き部２６の左右側部の上端部には、後述するように、水密板３１の上方移動を規制するストッパとして機能する突出部３４が設けられていて、水密をより確実にできるようにしている。
【００３１】
前記水密タンク３の底壁２１の下側には、４隅にキャスター３５（移動手段）が設けられ、水密タンク３自体を移動できるように構成されている。よって、物品出入口４を通じての装置ハウジング２内への水密タンク３の出し入れを簡単に行うことができる。
【００３２】
前記水密操作手段３２は、前記物品出入用扉５の室内側に設けられ前記水密板３１の左右側縁部の適当箇所を支持可能である複数の支持部材４１Ａ及び下縁部の適当箇所を支持可能である複数の支持部材４１Ｂと、前記水密タンク３の外側に設けられ、必要時において、支持部材４１Ａ，４１Ｂによる水密板３１の支持を解除させ、支持を解除された水密板３１を水密タンク３側に引き付けることで前記切り欠き部２６を閉塞させ、その状態に水密板３１を保持可能である水密保持部材４２Ａ，４２Ｂとを有する。よって、通常は、物品出入用扉５を開放することで、水密タンク３内への供試品の出し入れを切り欠き部２６を通じて自由にできるようになり、必要時にのみ完全な水密構造の水密タンクとすることができるようになる。
【００３３】
具体的には、前記支持部材４１Ａ，４１Ｂは、図４に示すように、物品出入用扉５のボス部５ａ，５ｂに回転可能に支持された軸部４３Ａ，４３Ｂと、該軸部４３Ａ，４３Ｂに、水密板３１の厚さよりも若干広い間隔を存して固着され周方向において高さが異なる内側及び外側支持部４４Ａ，４４Ｂ及び４５Ａ，４５Ｂとを有し、前記両支持部４４Ａ，４４Ｂ及び４５Ａ，４５Ｂ間に前記水密板３１の左右側縁部又は下縁部の複数箇所を挟持することで、取り外し可能に支持するようになっている。すなわち、両支持部４４Ａ，４４Ｂ及び４５Ａ，４５Ｂは周方向において高さが異なっているので、支持部材４１Ａ，４１Ｂが回転されることで、高さが低い部位にくると、水密板３１の支持が解除されるようになっている。
【００３４】
一方、水密保持部材４２Ａ，４２Ｂは、水密タンク３側に、前記支持部材４１Ａ，４１Ｂに対応して回転可能に設けられており、水密タンク３のボス部（図示せず）に回転可能に支持された軸部４６Ａ，４６Ｂと、該軸部４６Ａ，４６Ｂの先端に設けられ支持を解除された水密板３１を支持可能である操作部４７Ａ，４７Ｂとを有する。水密保持部材４２Ａ，４２Ｂは、それが対応する内側支持部４４Ａ，４４Ｂに一部が接触しているので、操作部４７Ａ，４７Ｂ（水密保持部材４２Ａ，４２Ｂ）が回転することで、前記内側支持部４４Ａ，４４Ｂを介して支持部材４１Ａ，４１Ｂ全体を回転させ、前述したように、両支持部４４Ａ，４４Ｂ及び４５Ａ，４５Ｂの水密板３１の支持を解除させることができる。この支持を解除された水密板３１は、操作部４７Ａ，４７Ｂの傾斜面４８Ａ，４８Ｂにて持ち上げられて支持されるようになる。
【００３５】
前記傾斜面４８Ａ，４８Ｂは、水密板３１を水密タンク３側に向かって斜め上方に移動させる案内面形状とされている。水密板３１が水密タンク３側に向かって斜め上方に移動せしめられると、水密タンク３の上部における突出部３４に衝突し、水密板３１の上方への移動が規制される。その結果、水密保持部材４２Ａ，４２Ｂによって、水密板３１が、水密タンク３の切り欠き部２６の周縁部に圧着される状態が保持される。なお、前述したように、水密板３１を水密タンク３の切り欠き部２６周縁に圧着させるために斜め上方に移動させなければならないことから、物品出入用扉５に支持された水密板３１の上縁部と突出部３４との間には、操作用のクリアランスＬが設けられている。
【００３６】
上記のように構成すれば、通常状態では、水密板３１は、内側支持部４４Ａ，４４Ｂと外側支持部４５Ａ，４５Ｂとの間に挟まれて、物品出入用扉５側に支持されている。よって、この状態では、水密タンク３の切り欠き部２６は開放されている。
【００３７】
切り欠き部２６が開放されている状態では、物品出入用扉５を開放さえすれば、水密タンク３の深さが深くても、切り欠き部２６を通じて、その内部への供試品の設置は簡単に行うことができる。
【００３８】
一方、試験中に供試品が発熱、発火、発煙したような緊急時には、浸漬のために、切り欠き部２６を閉塞して水密タンク３を水密構造にする必要があるので、水密操作手段３２を操作して、物品出入用扉５より水密板３１を取り外し、切り欠き部２６を閉塞させる。
【００３９】
すなわち、図示しない操作ハンドルによって、水密保持部材４２Ａ，４２Ｂを回転させて、支持部材４１Ａ，４１Ｂを回転させることで、両支持部４４Ａ，４４Ｂ及び４５Ａ，４５Ｂによる水密板３１の支持を解除して、水密板３１を操作部４７Ａ，４７Ｂの傾斜面４８Ａ，４８Ｂ上に移動させて、水密保持部材４２Ａ，４２Ｂにて支持するようにする。それから、さらに回転を続けることで、水密板３１の左右側縁部及び下縁部が傾斜面４８Ａ，４８Ｂに沿って案内されつつ水密板３１が水密タンク３側に向かって斜め上方に移動し、最終的に水密タンク３の上部における突出部３４に接触して、それ以上の移動が規制される。このとき、水密板３１は、切り欠き部２６の周縁部にパッキン３３を介して圧着される。これによって、上面部のみが開放され、上端部が天井板８付近にまで達する、深さの深い水密構造の水密タンク３が構成されることになる。なお、この状態では、操作部４７Ａ，４７Ｂ（水密保持部材４２Ａ，４２Ｂ）を介して水密タンク３側に水密板３１が支持されている。
【００４０】
この状態で、水道水あるいは貯水タンクよりポンプで水が注水ノズル１６に供給され、水が水密タンク３内に注水され、供試品が完全に浸漬され、急冷が施される。この場合、水密タンク３はキャスター３５を有するので、装置ハウジング２内から、異常な状態の供試品を含む水密タンク３を搬出しておき、予備の水密タンクを用いることで、試験装置としては、別の供試品について別の試験を行うことができる。よって、供試品が発熱、発火、発煙したような事態が生じても、環境試験装置１を遊ばせておく必要がなくなる。
【００４１】
また、急冷時に限らず、例えば電池の安全性評価基準（SAB G 1101）における電池の浸漬試験のように、通常の浸漬試験を行うような場合においても、同様に水密構造とすれば、供試品を完全に浸漬する浸漬試験を行うことが可能となる。また、水密タンク３の深さを深くすることができるので、供試品が大きくても、浸漬試験を行うことができる。
【００４２】
上記に本発明の環境試験装置の一実施の形態について説明したが、本発明はそれに限定されるものではなく、以下に例示的に示すように種々の変更が可能である。
【００４３】
（１）注水ノズル１６を用いて、水道水あるいは貯水タンクよりポンプで供給された水を、水密タンク３内に注水するようにしているが、そのようにすると浸漬するのに時間が必要となるので、例えば図１に鎖線で示すように、装置ハウジング２の上側に貯水タンク５１を設けると共に、貯水タンク５１と注水ノズル１６とを連絡する配管の途中に開閉弁（図示せず）を設け、急冷時において、前記開閉弁を開放することで、ポンプを用いることなく、重力を利用して、水を一気に、水密構造とされた水密タンク３内に落下させるようにすることもできる。このようにすれば、緊急の急冷対策としては有利である。
【００４４】
（２）水密操作手段３２としては、支持部材４１Ａ，４１Ｂと水密保持部材４２Ａ，４２Ｂとが接触して機械的に連動する形式のものを採用しているが、両部材４１，４２あるいはそれらと同等の機能を有する部材を電気的に同期させる形式のものを採用して、同様の作用効果を発揮させることもできる。また、水密操作手段の構成も、支持部材４１Ａ，４１Ｂと水密保持部材４２Ａ，４２Ｂとを有するものに限られず、水密板３１を、前記物品出入用扉５に支持される第１の状態と、前記水密タンク３の切り欠き部２６を水密的に閉塞する第２の状態とを択一的にとらせる機構であれば、どのような機構を採用することもできる。
【００４５】
（３）水密操作手段３２は、マニュアル操作によって操作するようにしているが、浸漬信号や急冷信号あるいは高温や発煙による緊急信号などの電気信号に基づいて、水密操作手段３２が動作するようにして（水密保持部材４２Ａ，４２Ｂが回転するようにして）、前述しような水密操作が自動的に行われるようにすることも可能である。
【００４６】
（４）水密保持部材４２Ａ，４２Ｂを回転させて浸漬操作をする操作ハンドルは、物品出入用扉５の扉開閉用操作ハンドルと共用するようにすることもできるが、それらを別々にしてより安全性を高めることも可能である。
【００４７】
【発明の効果】
本発明は、以上に説明したような形態で実施され、以下に述べるような効果を奏する。
【００４８】
本発明に係る環境試験装置は、装置ハウジング内に配設する水密タンクに開口部を形成し、水密操作手段によって、水密タンクの開口部を閉塞する水密板を、物品出入用扉に支持される第１の状態と、前記水密タンクの開口部を水密的に閉塞する第２の状態とを択一的にとることができるようにしているので、水密タンク内への供試品の出し入れの自由を確保して、浸漬時や急冷時において、水密タンク内に水を満たすことで、完全な浸漬あるいは急冷を行うことが可能となる。
【００４９】
また、水密タンクを、装置ハウジングの内側に二重壁を構成するように側壁と底壁を有するようにして、前記水密タンクの底壁の下面に、前記水密タンクを移動可能とする移動手段を設けることで、別に予備の水密タンクを用意しておけば、異常品を収納する水密タンクを装置ハウジング内から搬出し、それの代わりに前記予備の水密タンクを装置ハウジング内に搬入することで、試験装置としては、別の供試品について同様な試験を行うことが可能となり、装置を遊ばせておく必要がない。
【００５０】
前記水密操作手段を、前記物品出入用扉に設けられ前記水密板の左右側縁部又は下縁部の適当箇所を支持可能である複数の支持部材と、該支持部材による水密板の支持を解除させる支持解除部材と、前記水密タンク側に設けられ、前記支持解除部材にて支持を解除された水密板を水密タンク側に引き付けることで前記開口部を閉塞させ、その状態を保持可能である水密保持部材とを有するものとすることで、水密板の状態の切り替えを簡単に行うことができる。
【００５１】
前記水密保持部材が、前記水密板の左右側縁部又は下縁部に接触し、前記水密板を水密タンク側に向かって斜め上方に移動させる傾斜面を有し、前記水密タンクが、前記開口部の両側付近の上方に、前記水密板の上方への移動を規制するストッパを有するようにすれば、傾斜面を利用するという簡単な構造で、水密板の第１の状態と第２の状態との切り替えを簡単に行うことができる。
【００５２】
前記注水手段を、装置ハウジングの上側に設けられた貯水タンクとすれば、貯水タンク内の水を、ポンプを用いることなく、水密タンク内に一気に落下させて注水することが可能となり、急冷操作としてはきわめて有効である。
【図面の簡単な説明】
【図１】本発明に係る環境試験装置であって水密タンク搬出可能型の実施例を示す概略断面図である。
【図２】本発明に係る環境試験装置の開口を開放した状態を示す図である。
【図３】水密板とストッパである突出部との関係を示す図である。
【図４】本発明に係る水密保持手段の説明図である。
【図５】本発明に係る水密保持手段の説明図である。
【符号の説明】
１      環境試験装置
２      装置ハウジング
３      水密タンク
４      物品出入口
５      物品出入用扉
１６      注水ノズル
２１      底壁
２２      縦壁
２３      縦壁
２４      縦壁
２５      縦壁
２６      切り欠き部
３１      水密板
３２      水密操作手段
３４      突出部（ストッパ）
３５      キャスター（移動手段）
４１Ａ    支持部材
４１Ｂ    支持部材
４２Ａ    水密保持部材
４２Ｂ    水密保持部材
４８Ａ    傾斜面
４８Ｂ    傾斜面
【図１】
0003971532.tif 000002
【図２】
0003971532.tif 000003
【図３】
0003971532.tif 000004
【図４】
0003971532.tif 000005
【図５】
0003971532.tif 000006